(57)【要約】      （修正有）【課題】マイクの除菌脱臭を効率よく行う。特にカラオケマイクに対して使用する場合でも所望の作用を得られ、時間的な無駄も省けるようにする。【解決手段】マイク２１を立てて収容する収容空間３１を有した筐体３２内に、紫外線を照射する紫外線ランプ３４を備えたマイクの除菌脱臭器１１であって、前記紫外線ランプ３４としてオゾン化波長と強殺菌波長の紫外線を主に出す紫外線ランプを用いるとともに、筐体３２の開口部３２ａに、収容空間３１を閉鎖する開閉可能な蓋部を備える。さらに紫外線ランプ３４よりもマイク側であってマイクヘッド２２とマイクボディ２３の間の位置に、紫外線を遮蔽する遮蔽部３８が設けられ、紫外線ランプ３４の周囲空間と、マイ２１における遮蔽部３８よりもマイク２１側の部位の周囲空間との間に、これらを連通する通気路３９を形成してマイクの除菌脱臭器１１を構成する。【選択図】図２
0003157617.tif 000002
【実用新案登録請求の範囲】
【請求項１】
マイクを収容する収容空間を有した筐体内に紫外線を照射する紫外線ランプを備えたマイクの除菌脱臭器であって、
前記紫外線ランプとしてオゾン化波長と強殺菌波長の紫外線を主に出す紫外線ランプを用いるとともに、
前記筐体におけるマイク出し入れ用の開口部に、前記収容空間を閉鎖する開閉可能な蓋部が備えられ、
前記紫外線ランプよりもマイク側の位置に、前記強殺菌波長の紫外線を遮蔽する遮蔽部が設けられ、
前記紫外線ランプの周囲空間と、前記マイクにおける前記遮蔽部よりもマイク側の部位の周囲空間との間に、これらを連通する通気路が形成された
マイクの除菌脱臭器。
【請求項２】
前記収容空間が、マイクヘッドを上にした起立姿勢で前記マイクを収容する形状である
請求項１に記載のマイクの除菌脱臭器。
【請求項３】
前記遮蔽部が、前記マイクと交差するように設けられた
請求項１または請求項２に記載のマイクの除菌脱臭器。
【請求項４】
前記遮蔽部が、前記マイクのマイクヘッドとこれより下のマイクボディとの間の位置に設けられた
請求項３に記載のマイクの除菌脱臭器。
【請求項５】
前記遮蔽部が、遮光性を有する材料で構成され、
前記通気路が、前記遮蔽部における前記マイクの周囲に対応する部位に形成される切欠で構成された
請求項１から請求項４のうちのいずれか一項に記載のマイクの除菌脱臭器。
【請求項６】
前記遮蔽部が、遮光性を有する材料で構成されるとともに、
該遮蔽部が、収容された前記マイクと前記紫外線ランプとの間を遮るように設けられて、前記マイクに対する紫外線の直接の照射が阻止された
請求項１または請求項２に記載のマイクの除菌脱臭器。
【請求項７】
前記遮蔽部が、前記マイクを収容したときにマイクを受けるマイク受けと兼用であるとともに、
該マイク受けが、マイクの収容時に変位可能に設けられ、
該マイク受けには、マイクの収容による変位を検知するマイク検出スイッチが設けられるとともに、
該マイク検出スイッチがマイクを検出したときに前記紫外線を点灯するように制御された
請求項６に記載の
マイクの除菌脱臭器。
【請求項８】
前記収容空間に、マイクを充電する充電器が備えられた
請求項１から請求項７のうちのいずれか一項に記載のマイクの除菌脱臭器。
【請求項９】
既存のマイク充電器に接続する接続部が設けられるとともに、
該接続部と前記紫外線ランプが電気的に接続された
請求項８に記載のマイクの除菌脱臭器。
【請求項１０】
前記筐体の上下に、外部との空気の流通を図る通気部が設けられた
請求項１から請求項９のうちのいずれか一項に記載のマイクの除菌脱臭器。
【考案の詳細な説明】
【技術分野】
【０００１】
この考案は、たとえばカラオケ等で用いられるマイクを除菌脱臭するための除菌脱臭器に関する。
【背景技術】
【０００２】
このような装置としては紫外線ランプを用いたものが知られており、たとえば下記特許文献１に開示されたものがある。この装置は、前面に開口を有する箱状の殺菌装置本体の中に、マイクを起立姿勢で掛ける載置部と、殺菌手段としての紫外線殺菌ランプが備えられている。紫外線殺菌ランプは、殺菌装置本体の天井面と、下部の後面に備えられ、それぞれマイクヘッドとマイクボディに対して殺菌作用をするように構成されている。また、殺菌装置本体の前面の開口部には、開口部を閉じる扉体が設けられている。
【０００３】
このような構成の殺菌装置では、紫外線殺菌ランプが発生する紫外線によってマイクの全体が殺菌される。紫外線殺菌ランプとして、殺菌をする紫外線のほかにオゾン生成をする紫外線を照射するものを使用すれば、オゾンによって空気殺菌や脱臭もできると記載されている。
【先行技術文献】
【特許文献】
【０００４】
【特許文献１】特開平７−１１１６９１号公報
【考案の概要】
【考案が解決しようとする課題】
【０００５】
しかしながら、主として殺菌をする約２５４ｎｍの波長の紫外線は、約１８５ｎｍの波長の紫外線が生成したオゾンを分解する作用も有する。
【０００６】
このため、生成されたオゾンが分解され、低濃度のオゾンしか得られないという難点がある。このため、作用効率が悪く、次々に使用されるカラオケマイクの場合に対応しきれない場合がある。しかも、これまでの装置は殺菌脱臭作用しか有しないものであるため、この点からも効率が悪かった。
【０００７】
そこで、この考案は、除菌脱臭が効率よく行え、特にカラオケマイクに対して使用する場合に時間的な無駄も省けるようにすることを主たる目的とする。
【課題を解決するための手段】
【０００８】
そのための手段は、マイクを収容する収容空間を有した筐体内に紫外線を照射する紫外線ランプを備えたマイクの除菌脱臭器であって、前記紫外線ランプとしてオゾン化波長と強殺菌波長の紫外線を主に出す紫外線ランプを用いるとともに、前記筐体におけるマイク出し入れ用の開口部に、前記収容空間を閉鎖する開閉可能な蓋部が備えられ、前記紫外線ランプよりもマイク側の位置に、前記強殺菌波長の紫外線を遮蔽する遮蔽部が設けられ、前記紫外線ランプの周囲空間と、前記マイクにおける前記遮蔽部よりもマイク側の部位の周囲空間との間に、これらを連通する通気路が形成されたマイクの除菌脱臭器である。
【０００９】
紫外線ランプから照射されたオゾン化波長の紫外線はオゾンを生成し、このオゾンは紫外線ランプ周辺から収容空間内のマイクに向けて移動しながら収容空間内の空気やマイクに対してオゾンの作用を及ぼす。また、強殺菌波長の紫外線は収容空間に照射されて主として殺菌をする。このとき、強殺菌波長の紫外線は、遮蔽部によって遮られ、オゾン化波長の紫外線によって生成されたオゾンが分解されるのを抑える。このため、オゾンは通気路を通ってマイクの表面に接し、作用をする。
【００１０】
前記収容空間は、マイクヘッドを上にした起立姿勢で前記マイクを収容する形状であるとよい。生成したオゾンが降下してマイク全体に作用をする。
【００１１】
前記遮蔽部は、前記マイクと交差するように設けられるとよい。マイクにおける遮蔽部よりも紫外線ランプ側では主として強殺菌波長の紫外線によって直接殺菌作用がなされ、遮蔽部よりも反紫外線ランプ側では、通気路を通って移動するオゾンによる作用がなされる。たとえば、遮蔽部を、前記マイクのマイクヘッドとこれより下のマイクボディとの間の位置に設けると、二種類の紫外線を有効に利用できる。
【００１２】
前記遮蔽部が、遮光性を有する材料で構成され、前記通気路が、前記遮蔽部における前記マイクの周囲に対応する部位に形成される切欠で構成されたマイクの除菌脱臭器であるもよい。遮光部に特殊なフィルタを用いる必要はなく、アルミ板等で構成できるので、安価に製造できる。
【００１３】
前記遮蔽部が、遮光性を有する材料で構成されるとともに、該遮蔽部が、収容された前記マイクと前記紫外線ランプとの間を遮るように設けられて、前記マイクに対する紫外線の直接の照射が阻止されたマイクの除菌脱臭器であるもよい。マイクに紫外線が直接当たらないので、紫外線に弱い部品があったとしてもその劣化を回避できる。
【００１４】
この場合には、前記遮蔽部が、前記マイクを収容したときにマイクを受けるマイク受けと兼用であるとともに、該マイク受けが、マイクの収容時に変位可能に設けられ、該マイク受けには、マイクの収容による変位を検知するマイク検出スイッチが設けられるとともに、該マイク検出スイッチがマイクを検出したときに前記紫外線を点灯するように制御されるとよい。遮蔽部が紫外線ランプからの紫外線がマイクに当たることはもちろん、前記蓋部を開けたときに紫外線ランプが見えることを防止でき、その上で、マイクが収容されているとき以外は紫外線ランプが点灯しないので、二重に安全性を図ることができる。
【００１５】
前記収容空間に、マイクを充電する充電器が備えられたマイクの除菌脱臭器であるもよい。除菌脱臭をしながら充電器による充電ができる。
【００１６】
この場合には、既存のマイク充電器に接続する接続部が設けられるとともに、
該接続部と前記紫外線ランプが電気的に接続されるとよい。既存のマイク充電器から紫外線ランプ点灯のための電力を得られる。
【００１７】
前記筐体の上下に、外部との空気の流通を図る通気部が設けられたマイクの除菌脱臭器であるとよい。紫外線ランプの点灯により、外部から入った空気中の酸素がオゾン化されるなど作用を受けて除菌脱臭作用をした後に外部に排出され、新たにまた外部から空気が入るので、除菌脱臭作用を確保できる。
【考案の効果】
【００１８】
以上のように、この考案によれば、オゾン化波長の紫外線と強殺菌波長の紫外線とを共に活かした効率の良い除菌脱臭作用が行える。このため、短時間で所期の目的を達成でき、次々に使用されるカラオケマイクを対象とした場合でも、十分な効果が期待できる。
【００１９】
また、充電器を備えることによって、マイクの除菌脱臭機能のほかに、充電機能も有することになり、除菌脱臭と充電を同時に行うことができて時間の面でも効率がよい。
【図面の簡単な説明】
【００２０】
【図１】マイクの除菌脱臭器の正面図。
【図２】マイクの除菌脱臭器の内部を示す正面図。
【図３】マイクの除菌脱臭器の縦断面図。
【図４】他の例に係るマイクの除菌脱臭器の縦断面図。
【図５】他の例に係るマイクの除菌脱臭器の内部を示す一部破断正面図。
【図６】他の例に係るマイクの除菌脱臭器の内部を示す一部破断正面図。
【図７】他の例に係るマイクの除菌脱臭器の内部を示す平面図。
【図８】図７のマイク除菌脱臭器の内部構造を示す縦断面図。
【図９】図７のマイク除菌脱臭器の電気配線図。
【考案を実施するための形態】
【００２１】
この考案を実施するための一形態を、以下図面を用いて説明する。  
図１は、マイクの除菌脱臭器１１（以下、「除菌脱臭器」という。）の正面図、図２はその内部状態を示す正面図、図３は縦断面図である。
【００２２】
これらの図に示すように除菌脱臭器１１は、マイク２１収容する収容空間３１を有した筐体３２と、前記収容空間３１を閉鎖すべく前面の開口部３２ａに取り付けられる開閉可能な蓋部３３を有する。
【００２３】
前記収容空間３１はマイクヘッド２２を上にした起立姿勢でマイク２１を収容する縦長形態で、マイク２１を並べて２本収容可能な幅を有する。
【００２４】
そして、収容したマイク２１のマイクヘッド２２よりも上方となる部分に、マイク２１に対して紫外線を照射する棒状の紫外線ランプ３４が筐体３２の幅方向に延びるように寝かせた状態で備えられる。紫外線ランプ３４への給電はアダプタ（図示せず）を接続するなどして適宜行われる。
【００２５】
紫外線ランプ３４には、所定波長の紫外線を照射する冷陰極型低圧水銀ランプを用いる。所定の波長とは、酸素からオゾンを生成するオゾン化効率の良い１８５ｎｍの波長と、殺菌効率の高い２５４ｎｍの波長をいい、これら２種類の紫外線を主に出すものを用いる。このような紫外線ランプ３４は長寿命で消費電力が少ない。また、管長を７０ｍｍから３５ｍｍなどと、超小型にすることもできる。
【００２６】
この紫外線ランプ３４の上側には、断面円弧状を描く反射板３５が備えられ、照射された紫外線を効果的にマイク２１のマイクヘッド２２に向けて反射する。
【００２７】
また、これら紫外線ランプ３４と反射板３５の開口部３２ａ側の前面には、これらを隠蔽する隠蔽板３６が備えられる。隠蔽板３６は、適宜の金属板で構成され、紫外線ランプ３４からの紫外線を遮る。この隠蔽板３６の存在によって、紫外線ランプ３４の光が直接目に入らないようにできる。
【００２８】
前記収容空間３１内の背面には、マイク２１を引っ掛ける周知のホルダ３７が固定され、マイク２１のマイクボディ２３の上部を保持する。また、筐体３２の底面には、マイク２１の下端から延びるコード２４を外部に出すための溝穴３２ｂが形成される。溝穴３２ｂは、前記開口部３２ａに連通する直線状で、コード２４の径よりも幅広に形成され、十分な通気を可能にするものであり、外部との空気の流通を図る機能を果たすものである。除菌脱臭する対象であるマイク２１がワイヤレスタイプのマイクである場合には、前記溝穴３２ｂを省略したり、単なる通気のための孔を形成したりすることができる。前記溝穴３２ｂに対応して、筐体３２の上端面にも、外部との空気の流通を図る通気孔３２ｃが形成されている。なお、これら通気のための孔（通気部）は、前記蓋部と筐体との間に隙間を設けることで構成してもよい。
【００２９】
そして、前記紫外線ランプ３４よりもマイク２１側の位置に、前記強殺菌波長の紫外線を遮蔽する遮蔽部３８が設けられる。この例における遮蔽部３８は、アルミ等の金属板で形成され、紫外線のすべてを遮る。遮蔽部３８を設ける位置はマイク２１と交差する位置であるとよく、より詳しくは、マイク２１のマイクヘッド２２とこれより下のマイクボディ２３との間である。遮蔽部３８が強殺菌波長の紫外線のみを遮蔽するフィルタである場合には、遮蔽部３８は紫外線ランプ３４とマイク２１の間を仕切るように設けられる。
【００３０】
この遮蔽部３８には、紫外線ランプ３４の周囲空間と、マイク２１における前記遮蔽部３８よりもマイク側の部位の周囲空間を連通する通気路３９が形成されている。この通気路３９は、板材からなる遮蔽部３８におけるマイク２１の周囲に対応する部位に形成される切欠３８ａで構成される。切欠３８ａは、通気部３９の十分な通気を可能とするとともに、ホルダ３７に対してマイク２１を着脱可能にする形態である。
【００３１】
前記蓋部３３は、開口部３２ａを塞ぐ方形板状に形成され、筐体３２の一側に形成された軸受部３２ｃに一側が枢着される。このほか、たとえば上下方向にスライドする蓋部や筐体３２に一体成形された蓋部などであるもよい。
【００３２】
このように構成された除菌脱臭器１１は、図示しないカラオケ機器のキャビネットや壁面等に対して適宜の手段で固定されるなどして使用される。カラオケ機器のキャビネットに固定する場合には、既存のマイクホルダを不要とすることができる。また、図４に示したよう、既存のマイクボルダ４１を利用すべく、筐体３２の背面における前記ホルダ３７を形成した位置に、既存のマイクホルダ４１を通す孔部３２ｅを設けて、除菌脱臭器１１を構成することもできる。既存のマイクホルダ４１を有するキャビネット等４２に対しては、ねじ部材４３等の適宜の手段で固定できる。
【００３３】
使用に際しては、収容空間３１にマイク２１を収容し、通電して紫外線ランプ３４を点灯すると、紫外線の照射により、収容空間３１内の空気は除菌脱臭されるとともに、オゾン化される。すなわち、波長２５４ｎｍの紫外線が殺菌・除菌を行うとともに、波長１８５ｎｍの紫外線がオゾンを生成する。
【００３４】
このため、収容空間３１内の空気と、マイク２１における紫外線が直接当たるマイクヘッド２２側の部分が浄化される。また、生成されたオゾンは空気よりも重いので、マイクヘッド２２と通気路３９を通って、遮蔽部３８よりも下に移動する。そして、遮蔽部３８より下方では、オゾンが空気中の細菌を死滅させ、悪臭成分を分解して除菌脱臭をマイクボディ２３と空気に対して行う。このとき、遮蔽部３８の下に移動したオゾンは、紫外線ランプ３４からの紫外線が遮蔽部３８で遮られるので、徐々に分解される以外には分解されることを抑制し、強い酸化力を維持する。このため、前記蓋部３３を有することも相俟って、オゾン濃度を必要な程度に高めることができ、オゾンによる高い除菌脱臭効果が得られる。マイク２１はマイクヘッド２２を上にした起立姿勢で収容されるので、マイク２１全体が除菌脱臭作用を受ける。
【００３５】
収容空間３１内の浄化された空気は、筐体３２底面の溝穴３２ｂを通って流出し、外部の空気に除菌脱臭作用を施す。
【００３６】
前述のように、紫外線による殺菌・除菌と紫外線によって生成したオゾンによる除菌脱臭を同時に行うので、効果は高い。しかも、その作用は、まず遮蔽部３８で遮られたマイクベッド２２側の部分という限られたスペースでなされるので、効率が極めてよい。紫外線はマイクヘッド２２の通気性を有するヘッドカバーを照射するとともに、オゾンはその内部を通って隅々まで作用を施す。そして、遮蔽部３８より上で生成されたオゾンは、遮蔽部３８よりも下に移動しても、紫外線ランプ３４からの紫外線（波長２５４ｎｍ）によって分解されにくく、除菌脱臭効力を維持できる。
【００３７】
１本の紫外線ランプ３４によって高いオゾン濃度を得ることができるので、２種類の波長の紫外線を出す１本の紫外線ランプを単に用いた場合よりも処理能力が高い除菌脱臭器１１となる。この結果、短時間で所望の除菌脱臭作用が得られる。
【００３８】
以下、他の例について説明する。この説明において、先の構成と同一又は同等の部位については同一の符号を付してその詳しい説明を省略する。
【００３９】
図５は、ワイヤレスタイプのマイク２１のための除菌脱臭器１１の内部構造を示す正面図である。この除菌脱臭器１１は、マイク２１を保持する前記ホルダ３７に代えて、マイク２１を充電する充電器５１を内部に備える。
【００４０】
すなわち、周知のように、マイク２１のマイクボディ２３の下端部を差し込むと充電が出来る充電器５１を、前記収容空間３７内の底部に備えている。充電器５１は周知であるため詳しい説明を省略するが、図５の一部に拡大して示すように、マイク２１の下端を差し込む差込凹部５２の下方に、基板５３に対して接離する２本の可動端子５４，５５を備え、マイク２１を差し込んだときにこれらの可動端子５４，５５がマイク２１の下端の端子２５，２６に押されて基板５３の接点５３ａ，５３ｂに接触して通電し、マイク２１に対する充電を可能とするものである。充電器５１への給電は、紫外線ランプ３４への給電と同様に適宜行う。
【００４１】
なお、マイク２１がワイヤレスタイプであるために、前記溝穴３２ｂが不要であるが、筐体３２の上下には、外部との空気の流通を図る適宜の通気部が形成される。通気部は、孔（穴）で構成するほか、筐体３２と蓋部３３の間に隙間を設けて構成することもできる。
【００４２】
このような構成の除菌脱臭器１１では、マイク２１の除菌脱臭とマイク２１への充電が同時に行える。このため、休みなしに次々に使用されるカラオケマイクであっても、十分な除菌脱臭とこまめな充電が可能で、前記２つの作業を別々に行う場合に比して、効率がよい。
【００４３】
図６は、図５に示したように充電機能を有した除菌脱臭器１１への給電に、既存のマイク充電器６１を利用できるようにした除菌脱臭器１１である。
【００４４】
すなわち、筐体３２内には、マイク２１のマイクボディ２３の下端を差し込む差込凹部５２を備え、この差込凹部５２の下方に、下に突出する、この発明の接続部に対応する差込凸部５６が形成される。この差込凹部５２と差込凸部５６との間には、図６に一部拡大して示すように、マイク２１を前記差込凹部５２に差し込むと降下し、差込凸部５６の内部に設けた端子５６ａ，５６ｂに電気的に接続する２本の可動端子５４，５５が備えられる。
【００４５】
前記差込凸部５６の２つの端子５６ａ，５６ｂのうちの一方５６ａは、差込凸部５６の下端面に下端が露出し、他方５６ｂは、差込凸部５６の下端面に露出する別の端子５６ｃを間接的に備える。これらの端子５６ａ，５６ｃは、マイク２１の下端に設けられる端子２５，２６と同一の作用をする。そして、前記差込凸部５６の端子５６ａ，５６ｂ，５６ｃのうち下端に露出する端子５６ａ，５６ｃは、図６に一点鎖線で示したように紫外線ランプ３４に電気的に接続される。これによって、前記差込凸部５６の端子５６ａ，５６ｃを通じて給電される電力はマイク２１と紫外線ランプ３４に供給されることになる。
【００４６】
筐体３２における底面には、既存のマイク充電器６１の差込凹部６２に対して前記差込凸部５６を差し込んだときに設置して安定させる適宜形状の脚部６３が形成される。
【００４７】
このような構成の除菌脱臭器１１では、既存のマイク充電器６１を無駄にすることなく有効に利用して、前記のような、十分な除菌脱臭とこまめな充電という２つの作業を効率よくできる。
【００４８】
図７、図８は、ワイヤレスタイプのマイク２１のための除菌脱臭器１１であり、特に、紫外線ランプ３４から照射される紫外線が直接マイク２１に当たらず、人の目にも入らないようにした例を示す。
【００４９】
すなわち、前記遮蔽部３８は前記隠蔽板３６の役割も果たすもので、前記遮蔽部３８と同様に、遮光性を有するアルミニウム板等の材料で構成されるとともに、遮蔽部３８が、収容されたマイク２１と紫外線ランプ３４との間を遮るように設けられている。また、この例では、遮蔽部３８が、マイク２１を収容したときにマイク２１を受けるマイク受け３７ａとしての機能も果たし、マイク２１が収容状態にある時以外に前記紫外線ランプ３４が点灯しないように構成されている。
【００５０】
具体的に説明すると、筐体３２は、１本のマイク２１を起立状態ではなく、寝かせた状態で収容するように、平面視略縦長長方形で、側面視略横長長方形をなす直方体形状で、上面に、マイク２１の出し入れのための開口部３２ａを有する。この開口部３２ａの縁には軸受部３２ｄが設けられ、蓋部３３を開閉可能に保持する。
【００５１】
そして、マイク２１のマイクボディ２３部分を支える前記遮蔽部３８及び隠蔽板３６としての前記マイク受け３７ａがマイク収容空間３１に設けられる。マイク受け３７ａは、マイクボディ２３の長手方向に沿って延びる平面視略長方形状で、幅方向の中間部が樋状に凹んだ形であり、マイク２１の下端側に対応する基部側が枢着され（枢着部３７ｂ）、遊端側が上下動するように回動可能である。マイク受け３７ａの長さは、遊端がマイク２１のマイクヘッド２２とマイクボディ２３の間に位置するような長さであり、遊端縁には、下に向けて下がる垂下片３７ｃが形成されている。
【００５２】
マイク受け３７ａの下における前記垂下片３７ｃより基端側に、前記紫外線ランプ３４が保持され、この紫外線ランプ３４よりも基部側には、充電池７１と、ウエイトスイッチ７２が配設されている。この他に、インバータ７３等の必要な機器も備えられる。
【００５３】
マイク受け３７ａは、マイク２１が乗ってないときには、遊端側が上がるようにされ、マイク２１が乗せられた時には、マイク２１の重みでマイク受け３７ａが傾倒し、前記ウエイトスイッチ７２をＯＮするように構成されている。
【００５４】
また、筐体３２の底面には、外部との空気の流通を図る通気孔３２ｃが形成され、筐体３２の上端部、すなわち前記開口部３２ａと蓋部３３との間には、同様に外部との空気の流通を図る通気部３２ｆが形成されている。この通気部３２ｆの形成は、筐体３２の開口部３２ａの開口縁における前記軸受部３２ｄと反対側の部分に、一段高い段部３２ｇを形成することで行う。すなわち、筐体３２と蓋部３３の間に形成した隙間が前記通気部３２ｆである。
【００５５】
さらに、筐体３２の開口部３２ａには、蓋部３３が閉じられていることを検知するカバースイッチ７４が設けられている。
【００５６】
図９に、図７、図８に示した除菌脱臭器１１の電気配線図を示す。図９中、７３はインバータで、７４はカバースイッチ、７２はウエイトスイッチ、７１は充電池で、７５は充電中であることを点灯によって示す発光ダイオード、７６は除菌脱臭中であることを点灯によって示す発光ダイオードである。なお、７７は充電用アダプタである。
【００５７】
これらの各部はつぎのように制御されている。充電用アダプタ７７の端子７７ａがジャック７８に差し込まれると、ウエイトスイッチ７２がＯＮ状態、すなわちマイク２１が収容されている状態のときには、充電中であることを示す発光ダイオード７５が点灯し、充電池７１が充電される。
【００５８】
そして、充電池７１が充電状態である場合において、蓋部３３が閉じていればカバースイッチ７４がＯＮして、紫外線ランプ３４が点灯し、除菌脱臭中であることを示す発光ダイオード７６も点灯して、除菌脱臭作用をする。
【００５９】
蓋部３３が開放された場合には、カバースイッチ７４がＯＦＦし、インバータ７３への通電を遮断する。また、ウエイトスイッチ７２がＯＦＦ状態、すなわちマイク２１が収容されていない場合には、紫外線ランプ３４は点灯しない。
【００６０】
なお、前記充電池７１の消耗を抑えるため、周知のフリッカー回路を組み込むとよい。すなわち、ＯＮ状態において、タイマーでセットされた所定間隔で、紫外線ランプ３４の点灯と消灯を繰り返す。
【００６１】
このような構成であり、マイク２１に紫外線が直接当たらないので、紫外線に弱い部品があったとしてもその劣化を回避できる。また、マイク受け３７ａが紫外線ランプ３４からの紫外線がマイク２１に当たることはもちろん、前記蓋部３３を開けたときに紫外線ランプ３４が見えることを完全に、しかも最も少ない部品点数で防止でき、その上で、マイク２１が収容されているとき以外は紫外線ランプ３４が点灯しないので、二重に安全性を図ることができる。
【００６２】
なお、マイク２１を立てて収容する形態のものとすることもできる。
【００６３】
この考案の構成と、前記一形態の構成との対応において、  
この考案の通気部は、前記溝穴３２ｂ、通気孔３２ｃ、通気部３２ｆに対応し、  
マイク検出スイッチは、ウエイトスイッチ７２に対応するも、  
この考案は、前記一形態の構成のみに限定されるものではなく、その他の形態を採用することもできる。  
たとえば、蓋部３３を閉じると紫外線ランプが点灯し、開けると消灯するように構成するもよい。
【００６４】
また、既存の充電器６１に接続する態様は、前述のように既存の充電器６１に重ねるようにするのではなく、たとえば既存の充電器６１の差込凹部６２に入るマイク２１の下端部のような形態をした接続部を設けて、これだけが既存の充電器６１に接続され、除菌脱臭器１１の本体側を単独で壁面にかけたり接地したりできるようにしてもよい。
【００６５】
さらに、マイク２１の検出にはその他のセンサを用いることもできる。
【符号の説明】
【００６６】
１１…マイクの除菌脱臭器
２１…マイク
２２…マイクヘッド
２３…マイクボディ
３１…収容空間
３２…筐体
３２ａ…開口部
３２ｂ…溝穴
３２ｃ…通気孔
３２ｆ…通気部
３３…蓋部
３４…紫外線ランプ
３７ａ…マイク受け
３８…遮蔽部
３８ａ…切欠
３９…通気路
５１…充電器
５６…差込凸部
６１…既存のマイク充電器
７２…ウエイトスイッチ
【図１】
0003157617.tif 000003
【図２】
0003157617.tif 000004
【図３】
0003157617.tif 000005
【図４】
0003157617.tif 000006
【図５】
0003157617.tif 000007
【図６】
0003157617.tif 000008
【図７】
0003157617.tif 000009
【図８】
0003157617.tif 000010
【図９】
0003157617.tif 000011